(57)【特許請求の範囲】
【請求項１】
被写体像を撮影する撮像部と、
前記撮像部の撮影条件に関する複数の設定項目のそれぞれについて、複数の設定情報から１つの設定情報を前記撮像部に設定する設定部と、
前記複数の設定項目に含まれる第１設定項目と第２設定項目とについて、前記設定部が同時に設定することを禁止する設定情報の組み合わせを排他関係として規定する排他関係規定部と、
前記第１設定項目が第１設定情報に設定された後に、前記第２設定項目が前記排他関係にある第２設定情報に設定されることを禁止する先勝処理部と、
前記第１設定項目が第１設定情報に設定された後に、前記第２設定項目が前記排他関係にある第２設定情報に設定された場合に、前記第１設定情報を、前記排他関係にない設定情報に変更する後勝処理部と、
前記複数の設定項目に含まれる２つの設定項目の関係について、前記先勝処理部と前記後勝処理部とのいずれを実行させるかをそれぞれ選択的に設定可能とする設定操作部と、
を備える撮影装置。
【請求項２】
前記設定操作部は、
前記複数の設定項目に含まれる２つの設定項目の全ての組み合わせにおいて、前記先勝処理部を実行させる全先勝状態と、
前記複数の設定項目に含まれる２つの設定項目の全ての組み合わせにおいて、前記後勝処理部を実行させる全後勝状態と、
前記複数の設定項目に含まれる２つの設定項目の全ての組み合わせのうち、前記先勝処理部を実行させる組み合わせと、前記後勝処理部を実行させる組み合わせとを混在させる混在状態とを選択的に設定可能とする請求項１記載の撮影装置。
【請求項３】
前記第１設定項目および前記第２設定項目のいずれか一方の設定情報を設定可能とする設定メニューを表示する表示部を備え、
前記設定操作部には、前記表示部に前記設定メニューを表示した場合に、前記第１設定項目および前記第２設定項目のいずれか一方の設定情報を設定可能とする第１操作部が含まれる請求項２記載の撮影装置。
【請求項４】
前記設定操作部には、前記第１操作部とは異なる第２操作部が含まれ、
前記第２操作部により設定情報が設定される設定項目と、前記第１操作部により設定情報が設定される設定項目とについて、前記排他関係規定部が規定する前記排他関係があり、
前記設定操作部により前記混在状態が設定された場合に、
前記先勝処理部は、前記第２操作部により前記第１設定項目が第１設定情報に設定された後に、前記第１操作部により前記第２設定項目が前記排他関係にある第２設定情報に設定されることを禁止し、
前記後勝処理部は、前記第１操作部により前記第１設定項目が第１設定情報に設定された後に、前記第２操作部により前記第２設定項目が前記排他関係にある第２設定情報に設定された場合に、前記第１設定情報を、前記排他関係にない設定情報に変更する請求項３記載の撮影装置。
【請求項５】
前記第２操作部は、装置本体に設けられた操作部材と、前記操作部材の位置情報を検出する検出部とを備え、前記検出部により検出された前記操作部材の位置情報に基づいて設定情報の設定を行う請求項４記載の撮影装置。
【請求項６】
前記後勝処理部により前記第１設定情報が、前記第２設定情報と前記排他関係にない設定情報に変更され、かつ前記操作部材の位置情報に基づく設定情報と、前記第１設定情報とが相違した場合、設定情報の変更が行われたことを警告する警告部を備える請求項５記載の撮影装置。
【請求項７】
前記設定メニューには、前記全先勝状態と、前記全後勝状態と、前記混在状態とを選択する選択メニューが含まれており、
前記設定操作部は、前記表示部に前記選択メニューが表示された場合に、前記全先勝状態と、前記全後勝状態と、前記混在状態とのいずれか１つを設定可能とする請求項３〜６のいずれか１項に記載の撮影装置。
【請求項８】
前記設定操作部により前記混在状態が選択された場合に、前記複数の設定項目について優先度を決定する優先度決定部を備え、
前記先勝処理部は、前記第１設定項目が第１設定情報に設定された後に、前記第１設定項目よりも優先度の低い前記第２設定項目が前記排他関係にある設定情報に設定されることを禁止し、
前記後勝処理部は、前記第１設定項目が第１設定情報に設定された後に、前記第１設定項目よりも優先度の高い前記第２設定項目が前記排他関係にある第２設定情報に設定された場合に、前記第１設定情報を、前記排他関係にない設定情報に変更する請求項２または３記載の撮影装置。
【請求項９】
撮像部の撮影条件に関する複数の設定項目であって、前記複数の設定項目に含まれる第１設定項目と第２設定項目とについて、同時に設定することを禁止する設定情報の組み合わせを排他関係として規定するステップと、
前記複数の設定項目に含まれる２つの設定項目の関係について、先勝処理と後勝処理とのいずれを実行させるかをそれぞれ選択的に設定するステップと、
前記複数の設定項目に含まれる２つの設定項目の関係について先勝処理が設定された場合、前記第１設定項目が第１設定情報に設定された後に、前記第２設定項目が前記排他関係にある第２設定情報に設定されることを禁止するステップと、
前記複数の設定項目に含まれる２つの設定項目の関係について後勝処理が設定された場合、前記第１設定項目が第１設定情報に設定された後に、前記第２設定項目が前記排他関係にある第２設定情報に設定された場合に、前記第１設定情報を、前記排他関係にない設定情報に変更するステップとを含む撮影装置の制御方法。
【請求項１０】
撮像部の撮影条件に関する複数の設定項目であって、前記複数の設定項目に含まれる第１設定項目と第２設定項目とについて、同時に設定することを禁止する設定情報の組み合わせを排他関係として規定するステップと、
前記複数の設定項目に含まれる２つの設定項目の関係について、先勝処理と後勝処理とのいずれを実行させるかをそれぞれ選択的に設定するステップと、
前記複数の設定項目に含まれる２つの設定項目の関係について先勝処理が設定された場合、前記第１設定項目が第１設定情報に設定された後に、前記第２設定項目が前記排他関係にある第２設定情報に設定されることを禁止するステップと、
前記複数の設定項目に含まれる２つの設定項目の関係について後勝処理が設定された場合、前記第１設定項目が第１設定情報に設定された後に、前記第２設定項目が前記排他関係にある第２設定情報に設定された場合に、前記第１設定情報を、前記排他関係にない設定情報に変更するステップとを実行させる撮影装置の制御プログラム。
【発明の詳細な説明】
【技術分野】
【０００１】
本発明は、撮影装置とその制御方法および制御プログラムに関する。
【背景技術】
【０００２】
デジタルカメラ等の撮影装置には、高品質な画像を撮影するために、様々な撮影条件の設定項目を設定可能としているものがある。このような撮影装置では、複数の設定項目において、同時に設定することができない、いわゆる排他関係にある設定情報が存在することが一般的である。【０００３】
上述した排他関係にある設定情報が存在する撮影装置では、例えば、第１設定項目が第１設定情報に設定された後に、第２設定項目が排他関係にある第２設定情報に設定されることを禁止する先勝処理を行う場合と、第１設定項目が第１設定情報に設定された後に、第２設定項目が排他関係にある第２設定情報に設定された場合に、第１設定情報を、排他関係にない設定情報に変更する後勝処理を行う場合とがあり、設定項目の組み合わせによって、先勝処理を行う場合と、後勝処理を行う場合とが混在することが一般的である。【０００４】
特許文献１記載のデジタルカメラは、複数の参照画像から選択された１つの参照画像に付帯された付帯情報から撮影条件を取得し、取得した撮影条件を用いて各設定項目の設定情報を設定する。また、このデジタルカメラでは、取得した撮影条件のうち、ユーザーが選択した任意の設定項目の設定情報を変更できないようにする機能を有する。すなわちユーザーが選択した設定項目について先勝処理を実行することができる。
【先行技術文献】
【特許文献】
【０００５】
【特許文献１】特開２０１２−２３５３９３号公報
【発明の概要】
【発明が解決しようとする課題】
【０００６】
しかしながら、上述した先勝処理と後勝処理とには、それぞれ長所と短所とがある。すなわち、先勝処理では、先に設定された第１設定項目については、ユーザーが意図した通りの設定情報となっているが、後に設定しようとした第２設定項目については、排他関係にある設定情報への設定を禁止する状態になっているため、ユーザーが意図した設定情報にできない場合がある。一方、後勝処理では、第１設定項目が第１設定情報に設定された後に、第２設定項目をユーザーの意図通りに設定することができるが、第１設定項目については、ユーザーが意図しない設定情報に変更されているしまう場合がある。【０００７】
撮影条件の設定方法としては、先に設定した設定項目の設定情報を残しておきたいユーザーもいれば、後に設定する設定項目の設定情報を自由に変更したいというユーザーもいる。すなわち、先勝処理が適しているユーザーもいれば、後勝処理が適しているユーザーもいることになる。以上のことから、先勝処理あるいは後勝処理をユーザーの好みによって選択可能とすることが望まれている。上記特許文献１記載のデジタルカメラでは、ユーザーが選択した設定項目については、先勝処理とすることができるが、後勝処理については選択することができない。【０００８】
本発明は、排他関係にある設定項目について、ユーザーが先勝処理と、後勝処理とを使い分けることが可能な撮影装置とその制御方法および制御プログラムを提供することを目的とする。
【課題を解決するための手段】
【０００９】
上記目的を達成するため、本発明の撮影装置は、撮像部と、設定部と、排他関係規定部と、先勝処理部と、後勝処理部と、設定操作部と、を備える。撮像部は、被写体像を撮影する。設定部は、撮像部の撮影条件に関する複数の設定項目のそれぞれについて、複数の設定情報から１つの設定情報を撮像部に設定する。排他関係規定部は、複数の設定項目に含まれる第１設定項目と第２設定項目とについて、設定部が同時に設定すること禁止する設定情報の組み合わせを排他関係として規定する。先勝処理部は、第１設定項目が第１設定情報に設定された後に、第２設定項目が排他関係にある第２設定情報に設定されることを禁止する。後勝処理部は、第１設定項目が第１設定情報に設定された後に、第２設定項目が排他関係にある第２設定情報に設定された場合に、第１設定情報を、排他関係にない設定情報に変更する。設定操作部は、複数の設定項目に含まれる２つの設定項目の関係について、先勝処理部と後勝処理部とのいずれを実行させるかをそれぞれ選択的に設定可能とする。【００１０】
設定操作部は、複数の設定項目に含まれる２つの設定項目の全ての組み合わせにおいて、先勝処理部を実行させる全先勝状態と、複数の設定項目に含まれる２つの設定項目の全ての組み合わせにおいて、後勝処理部を実行させる全後勝状態と、複数の設定項目に含まれる２つの設定項目の全ての組み合わせのうち、先勝処理部を実行させる組み合わせと、後勝処理部を実行させる組み合わせとを混在させる混在状態とを選択的に設定可能とすることが好ましい。【００１１】
第１設定項目および第２設定項目のいずれか一方の設定情報を設定可能とする設定メニューを表示する表示部を備え、設定操作部には、表示部に設定メニューを表示した場合に、第１設定項目および第２設定項目のいずれか一方の設定情報を設定可能とすることが好ましい。【００１２】
設定操作部には、第１操作部とは異なる第２操作部が含まれ、第２操作部により設定情報が設定される設定項目と、第１操作部により設定情報が設定される設定項目とについて、排他関係規定部が規定する排他関係があり、設定操作部により混在状態が設定された場合に、先勝処理部は、第２操作部により第１設定項目が第１設定情報に設定された後に、第１操作部により第２設定項目が排他関係にある第２設定情報に設定されることを禁止し、後勝処理部は、第１操作部により第１設定項目が第１設定情報に設定された後に、第２操作部により第２設定項目が排他関係にある第２設定情報に設定された場合に、第１設定情報を、排他関係にない設定情報に変更することが好ましい。【００１３】
第２操作部は、装置本体に設けられた操作部材と、操作部材の位置情報を検出する検出部とを備え、検出部により検出された操作部材の位置情報に基づいて設定情報の設定を行うことが好ましい。【００１４】
後勝処理部により第１設定情報が、第２設定情報と排他関係にない設定情報に変更され、かつ操作部材の位置情報に基づく設定情報と、第１設定情報とが相違した場合、設定情報の変更が行われたことを警告する警告部を備えることが好ましい。【００１５】
設定メニューには、全先勝状態と、全後勝状態と、混在状態とを選択する選択メニューが含まれており、設定操作部は、表示部に選択メニューが表示された場合に、全先勝状態と、全後勝状態と、混在状態とのいずれか１つを設定可能とすることが好ましい。【００１６】
設定操作部により混在状態が選択された場合に、複数の設定項目について優先度を決定する優先度決定部を備え、先勝処理部は、第１設定項目が第１設定情報に設定された後に、第１設定項目よりも優先度の低い第２設定項目が排他関係にある設定情報に設定されることを禁止し、後勝処理部は、第１設定項目が第１設定情報に設定された後に、第１設定項目よりも優先度の高い第２設定項目が排他関係にある第２設定情報に設定された場合に、第１設定情報を、排他関係にない設定情報に変更することが好ましい。【００１７】
本発明の撮影装置の制御方法は、撮像部の撮影条件に関する複数の設定項目であって、複数の設定項目に含まれる第１設定項目と第２設定項目とについて、同時に設定すること禁止する設定情報の組み合わせを排他関係として規定するステップと、複数の設定項目に含まれる２つの設定項目の関係について、先勝処理と後勝処理とのいずれを実行させるかをそれぞれ選択的に設定するステップと、複数の設定項目に含まれる２つの設定項目の関係について先勝処理が設定された場合、第１設定項目が第１設定情報に設定された後に、第２設定項目が排他関係にある第２設定情報に設定されることを禁止するステップと、複数の設定項目に含まれる２つの設定項目の関係について後勝処理が設定された場合、第１設定項目が第１設定情報に設定された後に、第２設定項目が排他関係にある第２設定情報に設定された場合に、第１設定情報を、排他関係にない設定情報に変更するステップとを含む。【００１８】
本発明の撮影装置の制御プログラムは、撮像部の撮影条件に関する複数の設定項目であって、複数の設定項目に含まれる第１設定項目と第２設定項目とについて、同時に設定することを禁止する設定情報の組み合わせを排他関係として規定するステップと、複数の設定項目に含まれる２つの設定項目の関係について、先勝処理と後勝処理とのいずれを実行させるかをそれぞれ選択的に設定するステップと、複数の設定項目に含まれる２つの設定項目の関係について先勝処理が設定された場合、第１設定項目が第１設定情報に設定された後に、第２設定項目が排他関係にある第２設定情報に設定されることを禁止するステップと、複数の設定項目に含まれる２つの設定項目の関係について後勝処理が設定された場合、第１設定項目が第１設定情報に設定された後に、第２設定項目が排他関係にある第２設定情報に設定された場合に、第１設定情報を、排他関係にない設定情報に変更するステップとを実行させる。
【発明の効果】
【００１９】
本発明によれば、排他関係にある設定項目について、ユーザーが先勝処理と、後勝処理とを使い分けることができる。
【図面の簡単な説明】
【００２０】
【図１】デジタルカメラの外観を正面側から示す斜視図である。
【図２】デジタルカメラの外観を背面側から示す斜視図である。
【図３】デジタルカメラの構成を示すブロック図である。
【図４】排他関係設定テーブルの一例を示す説明図である。
【図５】設定メニューの一例を示す設定画面の説明図である。
【図６】設定メニューで撮影条件設定ルールの設定項目を選択した場合の選択候補一覧を示す設定画面の説明図である。
【図７】設定メニューでフォーカスモードの設定項目を選択した場合の選択候補一覧を示す設定画面の説明図である。
【図８】設定メニューでＩＳＯ感度の設定項目を選択した場合の選択候補一覧を示す設定画面の説明図である。
【図９】設定メニューでダイナミックレンジ設定の設定項目を選択した場合の選択候補一覧を示す設定画面の説明図である。
【図１０】設定メニューでの顔検出の設定項目を選択した場合の選択候補一覧を示す設定画面の説明図である。
【図１１】撮影条件設定ルールの設定情報を変更する際の処理を説明するフローチャートである。
【図１２】「全先勝」が設定された後、撮影条件に関する設定情報を変更する際の処理を説明するフローチャートである。
【図１３】先勝処理部の実行によりダイナミックレンジ設定の設定情報をＩＳＯ感度の設定情報と排他関係にある設定情報に設定されることを禁止する設定画面の一例を示す説明図である。
【図１４】「全後勝」が設定された後、撮影条件に関する設定情報を変更する際の処理を説明するフローチャートである。
【図１５】後勝処理部の実行によりＩＳＯ感度設定情報をダイナミックレンジ設定の設定情報と排他関係にない設定情報に変更した場合の設定画面の一例を示す説明図である。
【図１６】「混在」が設定された後、撮影条件に関する設定情報を変更する際の処理を説明するフローチャートである。
【図１７】外装キーによりＩＳＯ感度が設定された後、ダイナミックレンジ設定の設定情報をＩＳＯ感度の設定情報と排他関係にある設定情報に設定されることを禁止する設定画面の一例を示す説明図である。
【図１８】第２実施形態における撮影条件の優先度が決定される優先度設定画面の一例を示す説明図である。
【図１９】第３実施形態における外装キーによりフォーカスモードが設定された後、顔検出の設定情報をフォーカスモードの設定情報と排他関係にある設定情報に設定されることを禁止する設定画面の一例を示す説明図である。
【発明を実施するための形態】
【００２１】
［第１実施形態］
図１および図２において、デジタルカメラ１１は、カメラ本体１２（装置本体）、レンズ鏡筒１３、背面表示部１４、及びファインダ部１５を備える。
【００２２】
レンズ鏡筒１３は、カメラ本体１２の前面に設けられており、撮像光学系１６を保持している。レンズ鏡筒１３の外周には、フォーカスリング１７及び絞りリング１８を回転自在に設けられている。フォーカスリング１７及び絞りリング１８は、撮影者が手動で回転操作することにより、撮像光学系１６のフォーカス調節及び絞り調節をそれぞれ可能とする。
【００２３】
背面表示部１４は、カメラ本体１２の背面に設けられており、ライブビュー画像の表示、撮影済み画像の再生、および設定メニューの表示などに用いられる。背面表示部１４は、例えばＬＣＤパネルで構成されている。この背面表示部１４の表面には、タッチパネル２９（図３参照）が取り付けられており、タッチパネル２９からの入力指示は、主制御部４１に送信される。
【００２４】
カメラ本体１２の上面には、電源レバー１９、レリーズスイッチ２０、露出補正ダイヤル２１、シャッタスピードダイヤル２２、ＩＳＯ感度ダイヤル２３、内蔵フラッシュ装置２４（以下、フラッシュ装置と称する）等が設けられている。カメラ本体１２の背面には、複数の操作ボタン２６が設けられている。複数の操作ボタン２６は、各種設定操作などに用いられる。カメラ本体１２の前面には、フォーカスモード切替レバー２７が設けられている。
【００２５】
なお、以下では、露出補正ダイヤル２１、シャッタスピードダイヤル２２、ＩＳＯ感度ダイヤル２３、およびフォーカスモード切替レバー２７などをまとめて外装キーと称する。外装キーは、特許請求の範囲における第２操作部に相当し、後述する第１操作部とは異なる操作部である。これらの外装キーは、カメラ本体１２に設けけられた操作部材と、操作部材の位置情報を検出する検出部とを備え、検出部により検出された操作部材の位置情報に基づいて設定情報の設定を行うことができる。本実施形態では、外装キーを構成する操作部材は、全て回転式のダイヤルであり、図示しない検出部により検出されたダイヤルの回転位置に基づいて設定情報の設定を行うことができる。
【００２６】
電源レバー１９は、デジタルカメラ１１の電源（図示せず）をオン／オフする際に操作される。レリーズスイッチ２０は、撮影を実行する際に操作される。シャッタスピードダイヤル２２は、デジタルカメラ１１のシャッタ速度を切り替える際に操作される。
【００２７】
レリーズスイッチ２０は、Ｓ１スイッチとＳ２スイッチとで構成された２段ストローク式のスイッチ（図示せず）を有する。デジタルカメラ１１は、レリーズスイッチ２０が押下（半押し）され、Ｓ１スイッチがオン状態となると、自動露出調節等の撮影準備動作を行う。この状態からさらにレリーズスイッチ２０が押下（全押し）され、Ｓ２スイッチがオン状態となると、撮影動作が行われる。
【００２８】
また、カメラ本体１２の底部には、後述する記録メディア５１（図３参照）を装着するためのスロット（図示せず）と、このスロットの開口を開閉する装填蓋（図示せず）とが設けられている。
【００２９】
ファインダ部１５は、電子ビューファインダであり、ファインダ接眼窓１５Ａの奥に配置したＬＣＤからなるファインダ内表示部２８（図３参照）に、撮像素子３４（図３参照）で撮像した被写体像であるライブビュー画像が表示される。カメラ本体１２の背面側に配されたファインダ接眼窓１５Ａは、撮影者の眼が接眼される。
【００３０】
図３において、撮像光学系１６は、フォーカスレンズ３１を含む複数のレンズ、絞りユニット３２などを備える。撮像光学系１６の背後には、撮像光学系１６の光軸ＬＡに沿って、シャッタユニット３３、撮像素子３４が配される。撮像素子３４は、カメラ本体１２の内部に設けられている。
【００３１】
フォーカスレンズ３１は、モータ３６の駆動により光軸ＬＡの方向に移動し、撮影距離を調節する。主制御部４１は、図示しない検出部の信号に基づき検出したフォーカスリング１７の回転方向及び回転量に応じてフォーカスレンズ３１を移動させる制御信号をモータドライバ３９に送信する。モータドライバ３９は、制御信号に基づいてモータ３６を駆動させる。
【００３２】
絞りユニット３２は、モータ３７の駆動により複数枚の絞り羽根３２ａを移動させ、撮像素子３４への入射光量を変化させる。撮像素子３４には、撮像光学系１６を通過し、絞り３０により光量が調整された被写体の光学像が入射する。主制御部４１は、図示しない検出部の信号に基づき検出した絞りリング１８の角度位置に応じて絞り羽根３２ａを移動させる制御信号をモータドライバ３９に送信する。モータドライバ３９は、制御信号に基づいてモータ３７を駆動させる。
【００３３】
シャッタユニット３３は、フォーカルプレーンシャッタなどのメカシャッタであり、絞りユニット３２と撮像素子３４との間に配置されている。シャッタユニット３３は、撮像光学系１６と撮像素子３４との間の光路を遮断可能に設けられており、開口状態と閉口状態との間で変化する。
【００３４】
シャッタユニット３３は、ライブビュー画像および動画撮影時に開口状態とされる。シャッタユニット３３は、静止画撮影時には、開口状態から一時的に閉口状態になる。このシャッタユニット３３は、モータ３８により駆動される。主制御部４１は、後述するシャッタ方式の設定情報に応じてシャッタユニット３３を動作させる制御信号をモータドライバ３９に送信する。モータドライバ３９は、制御信号に基づいてモータ３８を駆動させる。
【００３５】
撮像素子３４は、主制御部４１により駆動制御される。撮像素子３４は、シャッタユニット３３、デジタル信号処理部４５などとともに撮像部を構成する。また、フラッシュ装置２４を用いるフラッシュ撮影の場合は、フラッシュ装置２４も撮像部を構成する。撮像素子３４は、例えば、ＲＧＢ方式のカラーフィルタを有する単板カラー撮像方式のＣＭＯＳ型イメージセンサである。撮像素子３４は、２次元マトリクス状に配列された複数の画素（図示せず）により構成された受光面を有している。各画素は、光電変換素子を含んでおり、撮像光学系１６により受光面に結像された被写体像を光電変換により撮像して撮像信号を生成する。また、撮像素子３４は、電子シャッタ機能を有しており、シャッタ速度（電荷蓄積時間）が調整可能である。
【００３６】
撮像素子３４は、ノイズ除去回路、オートゲインコントローラ、Ａ／Ｄ変換回路等の信号処理回路（いずれも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換して撮像素子３４から出力する。撮像素子３４の出力信号は、各画素ごとに１つの画素値を有する画像データ（いわゆるＲＡＷデータ）である。
【００３７】
撮像素子３４及び主制御部４１は、バス４２に接続されている。この他、バス４２には、メモリ制御部４４、デジタル信号処理部４５、メディア制御部４６、表示制御部４７、設定情報記憶部４８、およびタッチパネル２９が接続されている。
【００３８】
メモリ制御部４４には、ＳＤＲＡＭ等の一時記憶用のメモリ４９が接続されている。メモリ制御部４４は、撮像素子３４から出力された画像データをメモリ４９に入力して記憶させる。また、メモリ制御部４４は、メモリ４９に記憶された画像データを、デジタル信号処理部４５に出力する。
【００３９】
デジタル信号処理部４５は、メモリ４９から入力された画像データに対して、マトリクス演算、デモザイク処理、γ補正、輝度・色差変換、リサイズ処理などの公知の画像処理を施し、各画素の画素値に基づいて、被写体画像を生成する。
【００４０】
メディア制御部４６は、記録メディア５１への画像ファイルの記録及び読み出しを制御する。記録メディア５１は、例えば、フラッシュメモリを内蔵したメモリカードである。メディア制御部４６は、デジタル信号処理部４５によって圧縮された画像データを記録メディア５１に記録する。
【００４１】
表示制御部４７は、背面表示部１４およびファインダ内表示部２８への画像表示を制御する。具体的には、表示制御部４７は、デジタル信号処理部４５により生成された画像データに基づいて、ＮＴＳＣ規格等に準拠した映像信号を生成して背面表示部１４およびファインダ内表示部２８に出力する。
【００４２】
操作ボタン２６の操作により設定モードが選択された場合、主制御部４１は、表示制御部４７を駆動制御して背面表示部１４に設定メニューを表示させる。この設定メニューは、デジタルカメラ１１の撮像部の撮影条件に関する設定項目を設定可能とするとともに、後述する撮影条件設定ルールを設定可能とする。設定メニューには、撮影条件設定ルールの設定項目と、撮像部の撮影条件に関する複数の設定項目が表示される。
【００４３】
設定モードが選択された場合、主制御部４１は、撮像部の撮影条件に関する複数の設定項目のそれぞれについて、操作ボタン２６、タッチパネル２９、または外装キーの操作により複数の設定情報から１つの設定情報を撮像部に設定する設定部として機能する。
【００４４】
撮像部の撮影条件に関する複数の設定項目において、いわゆる排他関係にある設定情報が存在する。主制御部４１は、撮影条件に関する複数の設定項目に含まれる第１設定項目と第２設定項目とについて、主制御部４１が同時に設定すること禁止する設定情報の組み合わせを排他関係として規定する排他関係規定部として機能する。具体的には、主制御部４１は、撮影条件に関する複数の設定項目に含まれる第１設定項目と第２設定項目とについて、図４に示すような、各設定項目における設定情報間の関係を示す排他関係設定テーブルを読み出し、この排他関係設定テーブルに基づいて同時に設定することを禁止するか、あるいは同時に設定することを許容するか判定する。
【００４５】
図４に示す例は、後述するＩＳＯ感度の設定情報と、ダイナミックレンジ設定の設定情報の関係を示す排他関係設定テーブルＴ１である。この排他関係設定テーブルＴ１においては、同時に設定することを禁止する設定情報間の関係を「ＮＧ」、同時に設定することを許容する設定情報間の関係を「ＯＫ」として示している。排他関係設定テーブルＴは、例えば、設定情報記憶部４８に製造段階で記憶されている。
【００４６】
また、主制御部４１は、操作ボタン２６、タッチパネル２９、または外装キーの操作により撮影条件設定ルールおよび設定情報が設定または変更された場合、設定情報記憶部４８に記憶させる。設定情報記憶部４８は、不揮発性メモリにより構成される。
【００４７】
図５は、背面表示部１４に表示される設定メニューの一例である。この設定メニューＭでは、撮影条件設定ルール、フォーカスモード、ＩＳＯ感度、ダイナミックレンジ設定、顔検出などの複数の設定項目が表示される。なお、設定メニューＭは、例えば複数ページから構成され、各ページに複数の設定項目が表示される。また、この場合、操作ボタン２６またはタッチパネル２９により設定メニューＭのページを切り換えることができる。
【００４８】
ユーザーが設定メニューＭに基づき、撮影条件設定ルールを設定する場合、操作ボタン２６またはタッチパネル２９を操作することにより複数の設定項目から、撮影条件設定ルールの設定項目を選択する。操作ボタン２６またはタッチパネル２９は、特許請求の範囲における第１操作部に相当する。
【００４９】
撮影条件設定ルールの設定項目が選択された場合、操作ボタン２６またはタッチパネル２９は、特許請求の範囲における設定操作部として機能する。具体的には、図６に示すように、「全先勝」、「全後勝」、「混在」という選択候補からなる撮影条件設定ルールの選択候補一覧が表示される。操作ボタン２６またはタッチパネル２９を操作することにより、「全先勝」、「全後勝」、「混在」から撮影条件設定ルールを選択的に設定可能とする。図６に示す選択候補一覧が表示される設定画面は、特許請求の範囲における選択メニューに相当する。
【００５０】
撮影条件設定ルールとは、主制御部４１が、撮影条件に関する複数の設定項目に含まれる２つの設定項目において、上述した排他関係設定テーブルに基づく排他関係にある場合、後述する先勝処理部と後勝処理部とのいずれを実行させるかを選択的に設定可能とするものである。主制御部４１は、撮影条件設定ルールと、撮影条件に関する２つの設定項目の組み合わせによって、先勝処理部として機能する場合と、後勝処理部として機能する場合とがある。
【００５１】
主制御部４１が先勝処理部として機能する場合は、第１設定項目が第１設定情報に設定された後に、第２設定項目が第１設定情報と排他関係にある第２設定情報に設定されることを禁止する。一方、主制御部４１が後勝処理部として機能する場合は、第１設定項目が第１設定情報に設定された後に、第２設定項目が第１設定情報と排他関係にある第２設定情報に設定された場合に、第１設定情報を、排他関係にない設定情報に変更する。
【００５２】
図６に示す選択候補一覧から、「全先勝」が選択されると、撮影条件に関する複数の設定項目に含まれる２つの設定項目の全ての組み合わせにおいて、先勝処理部を実行させる全先勝状態となる。一方、「全後勝」が選択されると、撮影条件に関する複数の設定項目に含まれる２つの設定項目の全ての組み合わせにおいて、後勝処理部を実行させる全後勝状態となる。そして、「混在」が選択されると、撮影条件に関する複数の設定項目に含まれる２つの設定項目の全ての組み合わせのうち、先勝処理部を実行させる組み合わせと、後勝処理部を実行させる組み合わせとを混在させる混在状態となる。
【００５３】
なお、本実施形態においては、撮影条件設定ルールとして「混在」が選択された場合、先勝処理部を実行させる組み合わせと、後勝処理部を実行させる組み合わせは、初期設定として予め設定された組み合わせとなっている。
【００５４】
この初期設定として予め設定された組み合わせとして、本実施形態では、外装キーにより設定情報が設定可能な設定項目と、設定メニューに基づき操作ボタン２６またはタッチパネル２９により設定情報が設定可能な設定項目とについて、排他関係設定テーブルに基づく排他関係がある場合に、常に外装キーにより設定情報が設定可能な設定項目が優先されるように設定されている。すなわち、外装キーにより第１設定項目が第１設定情報に設定された後、主制御部４１は先勝処理部を実行し、設定メニューに基づき設定される第２設定項目が第１情報と排他関係にある第２設定情報に設定されることを禁止する。一方、設定メニューに基づき設定される第１設定項目が第１設定情報に設定された後に、外装キーにより設定される第２設定項目が第１情報と排他関係にある第２設定情報に設定された場合に、主制御部４１は後勝処理部を実行し、第１設定情報を、第２設定情報と排他関係にない設定情報に変更する。
【００５５】
ユーザーが設定メニューＭに基づき、撮影条件に関する設定項目を設定する場合、操作ボタン２６またはタッチパネル２９を操作することにより複数の設定項目から、１つの設定項目を選択する。この場合に、操作ボタン２６またはタッチパネル２９は、特許請求の範囲における第１操作部に相当する。以下で説明する撮影条件に関する設定項目の中には、主制御部４１が排他関係として規定する設定情報の組み合わせ、すなわち、排他関係設定テーブルに基づいて同時に設定することが禁止される設定情報の組み合わせがある。そして、排他関係設定テーブルに基づく排他関係にある場合、上述したように設定メニューＭに基づき操作ボタン２６またはタッチパネル２９で設定された設定撮影条件設定ルールに従い、主制御部４１が、先勝処理部または後勝処理部を実行する。
【００５６】
フォーカスモードの設定項目が選択された場合、図７に示すように、「ＡＦ−Ｓ」、「ＡＦ−Ｃ」、「ＭＦ」などの選択候補からなるフォーカスモードの選択候補一覧が表示される。操作ボタン２６またはタッチパネル２９を操作することにより、この選択候補一覧からフォーカスモードの設定が選択される。あるいは、後述するようにフォーカスモード切替レバー２７を操作することにより、フォーカスモードを設定することができる。
【００５７】
選択候補一覧から「ＡＦ−Ｓ」（シングルＡＦ）が選択されると、レリーズスイッチ２０が半押しされた場合、フォーカスエリア内の被写体にピント合わせが行われ、レリーズスイッチ２０が半押しされている間はピントがそのまま固定される。一方、「ＡＦ−Ｃ」（コンティニュアスＡＦ）が選択されると、レリーズスイッチ２０が半押しされている間は、被写体の動きに合わせてピント合わせが続行される。「ＭＦ」（マニュアルフォーカス）が選択されると、フォーカスリング１７のマニュアル操作により、手動でピント合わせが行うことができる。
【００５８】
なお、ＩＳＯ感度の設定項目が選択された場合、図８に示すように、「１００」、「２００」、「４００」、「６４０」、「８００」、「１０００」、「１２５０」、「１６００」、「２０００」、「２５００」、「３２００」などのＩＳＯ感度の選択候補一覧が表示される。操作ボタン２６またはタッチパネル２９を操作することにより、この選択候補一覧からＩＳＯ感度の設定情報が選択される。あるいは、後述するようにＩＳＯ感度ダイヤル２３を操作することにより、ＩＳＯ感度を設定することができる。
【００５９】
ダイナミックレンジ設定の設定項目が選択された場合、図９に示すように、「１００」、「２００」、「４００」などのダイナミックレンジ設定の選択候補一覧が表示される。操作ボタン２６またはタッチパネル２９を操作することにより、この選択候補一覧からダイナミックレンジ設定の設定情報が選択される。
【００６０】
また、選択候補一覧から「１００」が選択されると、撮像素子３４の基準のダイナミックレンジ、すなわち１００％のダイナミックレンジの画像を取得する撮影が行われる。「２００」が選択されると、撮像素子３４の基準のダイナミックレンジの２００％に拡大したダイナミックレンジの画像を取得する撮影が行われる。
【００６１】
なお、拡大したダイナミックレンジの画像を取得する方法としては、例えば特開２０１３−３１２０５号公報などに記載されているように、異なる露光条件で撮像を行なって、高輝度側の情報量が多い画像と低輝度側の情報量が多い画像等、輝度毎の情報量が異なる複数枚の画像データを取得してこれらを合成することにより、高輝度から低輝度まで広い範囲で良好な再現性を有するダイナミックレンジ拡大画像データを取得する。また、「４００」を選択すると、撮像素子３４の基準のダイナミックレンジの４００％に拡大したダイナミックレンジの画像を取得する撮影が行われる。
【００６２】
顔検出の設定項目が選択された場合、図１０に示すように、「ＯＮ」、「ＯＦＦ」の選択候補からなる顔検出の選択候補一覧が表示される。選択候補一覧から、「ＯＮ」が選択されると、人物の顔が検出され、検出された顔に対してピント合わせが行われる。また、「ＯＦＦ」が選択されると、顔検出が行われない。
【００６３】
デジタルカメラ１１において、撮影条件設定ルールを変更する処理手順について、図１１に示すフローチャートに沿って説明する。
【００６４】
デジタルカメラ１１の設定モード下で、主制御部４１は設定情報記憶部４８から各設定項目の設定情報を読み出す（Ｓ１１）。主制御部４１は、読み出された各設定項目の設定情報から、背面表示部１４に設定メニューＭの設定画面を表示させる（Ｓ１２）。なお、
主制御部４１は、各設定項目の設定情報が設定済みではない場合、例えば、設定操作を促す警告を行うようにしてもよい。これにより撮影条件設定ルールおよび撮影条件に関する複数の設定項目に設定情報を設定させる。あるいは、デジタルカメラ１１の工場出荷時点で全ての設定項目について設定情報を初期設定済みとしていてもよい。
【００６５】
次に、撮影条件設定ルールの設定または変更を行う場合、上述したように、設定メニューＭに基づき、複数の設定項目から、撮影条件設定ルールの設定項目を選択する（Ｓ１３でＹ）。撮影条件設定ルールが設定済み且つ変更を行わない場合は（Ｓ１３でＮ）、撮影条件の各設定項目を設定に進む（Ｓ１４）。
【００６６】
撮影条件設定ルールの設定項目を選択し（Ｓ１３でＹ）、「全先勝」、「全後勝」、「混在」のいずれか１つを選択すると（Ｓ１５）、撮影条件設定ルールが設定情報記憶部４８に記憶され、設定が終了する（Ｓ１６）。
【００６７】
次に、デジタルカメラ１１において、撮影条件設定ルールとして「全先勝」が設定された後、撮影条件に関する設定情報を変更する処理手順について、図１２に示すフローチャートおよび図１３に示す説明図を参照して説明する。
【００６８】
デジタルカメラ１１の設定モード下で、主制御部４１は設定情報記憶部４８から各設定項目の設定情報を読み出す（Ｓ２１）。主制御部４１は、読み出された各設定項目の設定情報から、背面表示部１４に設定メニューＭの設定画面を表示させる（Ｓ２２）。なお、図１３に示す例では、撮影条件設定ルールの設定項目以外は、例えば工場出荷時点での初期設定となっている。なお、本実施形態における初期設定としては、排他関係設定テーブルに基づき、各設定項目について同時に設定することを許容する設定情報が予め設定されている。
【００６９】
そして、次に第１設定項目の設定情報が設定される（Ｓ２３）。図１３に示す例ではＩＳＯ感度が第１設定項目として選択された状態を示す（二重枠線で囲まれた表示）。そして、図８に示す選択候補一覧に基づき操作ボタン２６またはタッチパネル２９により、またはＩＳＯ感度ダイヤル２３の操作によりＩＳＯ感度の設定項目が第１設定情報に設定された場合（Ｓ２３でＹ）、主制御部４１は、排他関係設定テーブルＴ１に基づき、ＩＳＯ感度の第１設定情報に対して排他関係にあるダイナミックレンジ設定（第２設定項目）の第２設定情報があるか否かを判定する（Ｓ２４）。また、ＩＳＯ感度の設定情報が設定されない場合（Ｓ２３でＹ）、設定メニューＭの表示に戻る（Ｓ２２）。
【００７０】
図１３に示す例では、ＩＳＯ感度の第１設定情報として「１００」が選択されているため、排他関係設定テーブルＴ１に基づき、ダイナミックレンジ設定の「２００」、「４００」が排他関係にあることから、主制御部４１は、排他関係にある第２設定情報があると判定する。
【００７１】
ＩＳＯ感度の第１設定情報に対して排他関係にあるダイナミックレンジ設定の第２設定情報がある場合（Ｓ２４でＹ）、主制御部４１は、先勝処理部を実行し、ダイナミックレンジ設定をＩＳＯ感度の第１設定情報と排他関係にない設定情報に設定する（Ｓ２５）。さらに、主制御部４１は、ダイナミックレンジ設定が排他関係にある第２設定情報に設定されることを禁止する（Ｓ２６）。
【００７２】
図１３に示す例では、排他関係設定テーブルＴ１に基づき、ＩＳＯ感度の「１００」と排他関係にない設定情報として、ダイナミックレンジ設定を「１００」としている。さらに、主制御部４１は、ダイナミックレンジ設定の設定情報を、ＩＳＯ感度の設定情報と排他関係にない設定情報に変更した場合、設定メニューＭ内に表示されるダイナミックレンジ設定の設定項目および設定情報を特殊表示形態（網掛け表示された部分）で表示させるとともに、ダイナミックレンジ設定が排他関係にある「２００」、「４００」に設定されることを禁止する。Ｓ２６で第１設定情報と排他関係にある第２設定情報に設定されることを禁止する状態としては、例えば、ダイナミックレンジ設定の設定情報が「１００」で固定され、設定メニューＭからダイナミックレンジ設定を選択しようとしても選択候補一覧を表示せず、ダイナミックレンジ設定の設定情報を変更不可能とする。
【００７３】
さらに主制御部４１は、設定後のＩＳＯ感度の第１設定情報と、ダイナミックレンジ設定の第２設定情報とを、設定情報記憶部４８に記憶させる（Ｓ２７）。一方、ＩＳＯ感度の第１設定情報に対して排他関係にあるダイナミックレンジ設定の第２設定情報がない場合（Ｓ２４でＮ）、主制御部４１は、ダイナミックレンジ設定の設定を行わず、設定後のＩＳＯ感度の第１設定情報のみを設定情報記憶部４８に記憶させる（Ｓ２８）。
【００７４】
以上のように、撮影条件設定ルールとして「全先勝」が選択された場合、主制御部４１は常に先勝処理部を実行し、上述したＩＳＯ感度以外の設定項目が第１設定項目として選択された場合も、主制御部４１は同様に先勝処理部を実行する。
【００７５】
次に、デジタルカメラ１１において、撮影条件設定ルールとして「全後勝」が設定された後、撮影条件に関する設定情報を変更する処理手順について、図１４に示すフローチャートおよび図１５に示す説明図を参照して説明する。
【００７６】
デジタルカメラ１１の設定モード下で、主制御部４１は設定情報記憶部４８から各設定項目の設定情報を読み出す（Ｓ３１）。主制御部４１は、読み出された各設定項目の設定情報から、背面表示部１４に設定メニューＭの設定画面を表示させる（Ｓ３２）。なお、図１５に示す例では、撮影条件設定ルールの設定項目以外は、第１設定項目であるＩＳＯ感度が設定済みとなった後、第２設定項目であるダイナミックレンジ設定が設定済みとなる状態を示し、その他の設定項目は、例えば初期設定となっている。
【００７７】
そして、次に第１設定項目の第１設定情報が設定される（Ｓ３３）。上述したように選択候補一覧に基づき操作ボタン２６またはタッチパネル２９により、またはＩＳＯ感度ダイヤル２３の操作によりＩＳＯ感度の設定項目が第１設定情報に設定される。図１５に示す例ではＩＳＯ感度の設定情報が「１００」に設定済みの状態を示している。さらに主制御部４１は、設定後のＩＳＯ感度の第１設定情報を、設定情報記憶部４８に記憶させる（Ｓ３４）。
【００７８】
ＩＳＯ感度が第１設定情報に設定され、設定情報記憶部４８に記憶された後、第２設定項目の第２設定情報が設定された場合（Ｓ３５でＹ）、主制御部４１は、排他関係設定テーブルに基づき、第１設定情報に対して排他関係にある第２設定情報に設定されたか否かを判定する（Ｓ３６）。
【００７９】
図１５に示す例では、ＩＳＯ感度の第１設定情報として「１００」が設定された後、ダイナミックレンジ設定の第２設定情報として「４００」が設定されているため、排他関係設定テーブルＴ１に基づき、主制御部４１は、排他関係にある第２設定情報に設定されたと判定する。
【００８０】
ＩＳＯ感度の第１設定情報に対して排他関係にあるダイナミックレンジ設定の第２設定情報に設定された場合（Ｓ３６でＹ）、主制御部４１は、後勝処理部を実行し、ＩＳＯ感度の第１設定情報を、ダイナミックレンジ設定の第２設定情報と排他関係にない設定情報に変更する（Ｓ３７）。
【００８１】
図１５に示す例では、排他関係設定テーブルＴ１に基づき、ダイナミックレンジ設定の「４００」と排他関係にない設定情報として、ＩＳＯ感度「１００」から「８００」に変更している。なお、ＩＳＯ感度の設定情報としては、ダイナミックレンジ設定の「４００」と排他関係にないものは、「８００」以外にも複数あるが、図１５に示す例では、変更前の「１００」に最も近い「８００」を選択している。
【００８２】
また、外装キーであるＩＳＯ感度ダイヤル２３によりＩＳＯ感度を設定した場合、後勝処理部の実行により第１設定情報が、第２設定情報と排他関係にない設定情報に変更され、かつＩＳＯ感度ダイヤル２３の位置情報に基づく設定情報と、変更後の第１設定情報とが相違する場合がある。この場合、主制御部４１は、第１設定情報の変更が行われたことを警告する警告部として機能する。主制御部４１が警告部として機能する場合、例えば、図１５に示すように、設定メニューＭに、ＩＳＯ感度が「１００」から「８００」に変更された情報を示す情報変更部を表示させる。
【００８３】
さらに主制御部４１は、設定後のＩＳＯ感度の第１設定情報と、変更後のダイナミックレンジ設定の第２設定情報とを、設定情報記憶部４８に記憶させる（Ｓ３８）。一方、ＩＳＯ感度の第１設定情報に対して排他関係にあるダイナミックレンジ設定の第２設定情報に設定されていない場合（Ｓ３６でＮ）、主制御部４１は、ＩＳＯ感度の変更を行わず、設定後のＩＳＯ感度の第２設定情報のみを設定情報記憶部４８に記憶させる（Ｓ３９）。
【００８４】
以上のように、撮影条件設定ルールとして「全後勝」が選択された場合、主制御部４１は常に後勝処理部を実行し、上述したダイナミックレンジ設定以外の設定項目が第２設定項目として選択された場合も、主制御部４１は同様に後勝処理部を実行する。また、全ての撮影条件に関する設定項目が設定された後も、主制御部４１は同様に後勝処理部を実行する。
【００８５】
次に、デジタルカメラ１１において、撮影条件設定ルールとして「混在」が設定された後、撮影条件に関する設定情報を変更する処理手順について、図１６に示すフローチャートおよび図１７に示す説明図を参照して説明する。なお、図１６に示すフローチャートでは、設定情報記憶部４８に設定情報を記憶する処理を省略しているが、実際の処理では、図１２および図１４のフローチャートと同様に、設定項目の設定情報が設定、または変更された場合、設定情報記憶部４８に設定情報を記憶する。
【００８６】
デジタルカメラ１１の設定モード下で、主制御部４１は設定情報記憶部４８から各設定項目の設定情報を読み出す（Ｓ４１）。主制御部４１は、読み出された各設定項目の設定情報から、背面表示部１４に設定メニューＭの設定画面を表示させる（Ｓ４２）。なお、図１７に示す例では、撮影条件設定ルールの設定項目以外は、例えば初期設定の状態から、第１設定項目であるＩＳＯ感度、第２設定項目であるダイナミックレンジ設定が設定済みとなる状態を示している。
【００８７】
そして、次に第１設定項目の第１設定情報が設定される（Ｓ４３）。図１７に示す例ではＩＳＯ感度の設定情報がＩＳＯ感度ダイヤル２３の操作により「１００」に設定済みの状態を示している。
【００８８】
第１設定項目が第１設定情報に設定され、設定情報記憶部４８に記憶された後、主制御部４１は、外装キーによって第１設定項目が設定されたか否かを判定する（Ｓ４４）。上述したように、外装キーであるＩＳＯ感度ダイヤル２３でＩＳＯ感度が第１設定情報に設定された場合（Ｓ４４でＹ）、主制御部４１は、先勝処理部を実行し、ダイナミックレンジ設定の設定情報をＩＳＯ感度の第１設定情報と排他関係にない設定情報に設定し、さらにダイナミックレンジ設定が排他関係にある第２設定情報に設定されることを禁止する（Ｓ４５）。
【００８９】
Ｓ４６で第１設定情報と排他関係にある第２設定情報に設定されることを禁止する状態としては、上述した図１２に示すフローチャートで説明したＳ２６の処理の場合と同様であるが、Ｓ４６の処理の後、主制御部４１が後勝処理部として実行された場合は、この禁止を解除し、第１設定情報と排他関係にある第２設定情報へ変更されることを許容する。
【００９０】
一方、外装キーではなく、設定メニューＭに基づき操作ボタン２６またはタッチパネル２９により第１設定項目が第１設定情報に設定された後（Ｓ４４でＮ）、第２設定項目の第２設定情報が設定された場合（Ｓ４６でＹ）、主制御部４１は、外装キーによって第２設定項目が設定されたか否かを判定する（Ｓ４７）。外装キーによって第２設定項目が第２設定情報に設定された場合（Ｓ４７でＹ）、主制御部４１は、排他関係設定テーブルに基づき、第１設定情報に対して排他関係にある第２設定情報に設定されたか否かを判定する（Ｓ４８）。
【００９１】
ＩＳＯ感度の第１設定情報に対して排他関係にあるダイナミックレンジ設定の第２設定情報に設定された場合（Ｓ４８でＹ）、主制御部４１は、後勝処理部を実行し、ＩＳＯ感度の第１設定情報を、ダイナミックレンジ設定の第２設定情報と排他関係にない設定情報に変更する（Ｓ４９）。なお、Ｓ４８およびＳ４９の処理は、上述した図１４に示すフローチャートで説明したＳ３６およびＳ４９の処理の場合と同様である。
【００９２】
なお、以上の図１１に示すような撮影条件設定ルールを設定する一連のステップと、図１２、図１４、図１６に示すような撮影条件に関する設定情報を変更する一連のステップとは、主制御部４１で実行可能な制御プログラムとして、主制御部４１内の記憶部に記憶されている。
【００９３】
以上のように、撮影条件設定ルールとして「混在」が選択された場合、主制御部４１は予め設定された組み合わせに応じて、先勝処理部または後勝処理部を実行する。また、図１６のフローチャートで示す例では、外装キーにより設定項目が設定された場合に、先勝処理部または後勝処理部を実行する設定としているが、これに限らず、外装キーにより設定情報が設定可能な設定項目と同じ設定項目を、設定メニューＭに基づき操作ボタン２６またはタッチパネル２９により設定された場合も同様に先勝処理部または後勝処理部を実行する設定にしてもよい。
【００９４】
本実施形態のデジタルカメラ１１では、排他関係にある複数の設定項目について、先勝処理部と後勝処理部とのいずれを実行させるかをそれぞれ選択的に設定可能としているので、ユーザーの好みに応じて、先勝処理と、後勝処理とを使い分けることができる。
【００９５】
また、「全先勝」、「全後勝」、「混在」という選択候補一覧から１つの撮影条件設定ルールを選択することができるため、先勝処理および後勝処理の設定を簡単に行うことができる。また、撮影条件設定ルールを設定する場合、背面表示部に設定メニューＭを表示し、操作ボタン２６またはタッチパネル２９を操作することにより「全先勝」、「全後勝」、「混在」のいずれか１つを選択することができるため、設定をさらに簡単に行うことができる。
【００９６】
［第２実施形態］
上記第１実施形態では、撮影条件設定ルールとして「混在」が選択された場合、主制御部４１は予め設定された組み合わせに応じて、先勝処理部または後勝処理部を実行する例を上げているが、これに限るものではなく、以下で説明する第２実施形態では、撮影条件設定ルールとして「混在」が選択された場合、撮影条件に関する複数の設定項目について優先度を決定し、決定された優先度に基づき先勝処理部または後勝処理部を実行する。
【００９７】
設定メニューＭに基づき、撮影条件設定ルールとして「混在」が選択された場合、図１８に示す優先度決定画面が表示される。この優先度決定画面では、優先度の高い順に撮影条件に関する設定項目を配列している。設定モード下で、優先度決定画面が表示された場合、主制御部４１は優先度決定部として機能し、例えば、撮影条件に関する設定項目と同じ列に表示された上向きおよび下向きの矢印をタッチ操作することにより該当する設定項目の位置を上下に移動させて、優先度を変更することができる。
【００９８】
撮影条件設定ルールとして「混在」が選択された場合、主制御部４１は、第１設定項目と第２設定項目の優先度を比較し、第１設定項目よりも第２設定項目の優先度が低い場合、先勝処理部を実行させる。すなわち、主制御部４１は、第１設定項目が第１設定情報に設定された後に、第１設定項目よりも優先度の低い第２設定項目が第１設定情報と排他関係にある設定情報に設定されることを禁止する。一方、主制御部４１は、第１設定項目よりも第２設定項目の優先度が高い場合、後勝処理部を実行させる。すなわち、主制御部４１は、第１設定項目が第１設定情報に設定された後に、第１設定項目よりも優先度の高い第２設定項目が排他関係にある第２設定情報に設定された場合に、第１設定情報を、第２設定情報と排他関係にない設定情報に変更する。
【００９９】
［第３実施形態］
上記第１実施形態では、排他関係にある設定情報の組み合わせとして、ＩＳＯ感度の設定情報と、ダイナミックレンジ設定の設定情報組み合わせを例に上げているが、これに限るものではなく、以下で説明する第３実施形態では、フォーカスモードの設定情報と、顔検出の設定情報との組み合わせを例に上げる。すなわち、フォーカスモードの設定情報に対して排他関係にある顔検出の設定情報の設定情報がある。
【０１００】
具体的には、フォーカスモードの設定情報として「ＭＦ」が選択された場合、顔検出では、設定情報として「ＯＦＦ」だけが「ＭＦ」と同時に設定可能であり、「ＯＮ」は「ＭＦ」と同時に設定することが禁止される。図１９に示すように、フォーカスモードの設定情報は、外装キーであるフォーカスモード切替レバー２７によって設定することができる。
【０１０１】
設定モード下で、外装キーであるフォーカスモード切替レバー２７でフォーカスモードが「ＭＦ」に設定された場合、主制御部４１は、上記第１実施形態と同様に、先勝処理部または後勝処理部を実行し、顔検出の設定情報を「ＯＦＦ」に設定し、さらに顔検出が排他関係にある「ＯＮ」に設定されることを禁止する。
【０１０２】
また、排他関係にある設定情報の組み合わせとしては、上記例の他には、例えば撮影モードの設定情報と、フラッシュ設定の設定情報との組み合わせがある。具体的には、撮影モードの設定情報として「連写撮影」が選択された場合、フラッシュ設定では、設定情報として「ＯＦＦ」だけが「連写撮影」と同時に設定可能であり、「ＯＮ」は「連写撮影」と同時に設定されることが禁止される。これは、連写撮影の場合、撮像素子３４による１フレーム分の電荷蓄積時間が短く、フラッシュ装置２４の発光が間に合わない、すなわち、フラッシュ撮影を行うことが不可能なためである。
【０１０３】
さらにまた、排他関係にある設定情報の組み合わせとしては、シャッタ方式の設定情報と、連写速度の設定情報との組み合わせがある。具体的には、シャッタ方式の設定情報として、「ＭＳ（メカシャッタ）」、「ＥＳ（電子シャッタ）」の選択候補から「ＭＳ」が選択された場合、連写速度では、設定情報として低速な連写速度だけが「ＭＳ」と同時に設定可能であり選択可能であり、高速な連写速度は｛ＭＳ｝と同時に設定することが禁止される。
【０１０４】
上記各実施形態では、撮像素子３４は、ＣＭＯＳ型イメージセンサであるが、ＣＣＤ型イメージセンサであってもよい。また、上記各実施形態では、ファインダ部を電子ビューファインダとしているが、ハイブリッドビューファインダとしてもよい。また、上記各実施形態では、内蔵型のフラッシュ装置を用いているが、外付けのフラッシュ装置を用いてもよい。
【０１０５】
なお、本発明は、デジタルカメラ以外に、スマートフォン、ビデオカメラ等の撮影装置に適用可能である。
【符号の説明】
【０１０６】
１１  デジタルカメラ
１２  カメラ本体
１３  レンズ鏡筒
１４  背面表示部
１５  ファインダ部
１５Ａ  ファインダ接眼窓
１６  撮像光学系
１７  フォーカスリング
１８  絞りリング
１９  電源レバー
２０  レリーズスイッチ
２１  露出補正ダイヤル
２２  シャッタスピードダイヤル
２３  ＩＳＯ感度ダイヤル
２４  フラッシュ装置
２６  操作ボタン
２７  フォーカスモード切替レバー
２８  ファインダ内表示部
２９  タッチパネル
３１  フォーカスレンズ
３２  絞りユニット
３２ａ  絞り羽根
３３  シャッタユニット
３４  撮像素子
３６，３７，３８  モータ
３９  モータドライバ
４１  主制御部
４２  バス
４４  メモリ制御部
４５  デジタル信号処理部
４６  メディア制御部
４７  表示制御部
４８  設定情報記憶部
４９  メモリ
５１  記録メディア
【図１】
0006588663.tif 000002
【図２】
0006588663.tif 000003
【図３】
0006588663.tif 000004
【図４】
0006588663.tif 000005
【図５】
0006588663.tif 000006
【図６】
0006588663.tif 000007
【図７】
0006588663.tif 000008
【図８】
0006588663.tif 000009
【図９】
0006588663.tif 000010
【図１０】
0006588663.tif 000011
【図１１】
0006588663.tif 000012
【図１２】
0006588663.tif 000013
【図１３】
0006588663.tif 000014
【図１４】
0006588663.tif 000015
【図１５】
0006588663.tif 000016
【図１６】
0006588663.tif 000017
【図１７】
0006588663.tif 000018
【図１８】
0006588663.tif 000019
【図１９】
0006588663.tif 000020